(57)【要約】  電気ランプには、ランプ容器（１）と、光源（２）とが設けられている。このランプ容器からは、中央電導出流供給導体（３）及び側方導出電流供給導体（４）が導出されている。電気ランプは口金（５）を有し、この口金は、ランプ容器と機械的に連結し、且つ前記電流供給導体と機械的及び電気的に接続している。口金（５）の、ランプ容器に面する側には、側方導出電流供給導体を通すための切欠き部（６）が設けられている。側方導出電流供給導体には、口金の外側で、この側方導出電流供給導体の材料からなる凝固小滴が設けられている。この凝固小滴は、側方導出電流供給導体の、切欠き部から導出している部分をレーザ加熱処理して形成するのが好ましい。本発明によれば、側方導出電流供給導体の口金への接続が信頼あるものとなるとともに、はんだ付けを行わなくてすむようになる。
2007528094.tif 000002
【特許請求の範囲】
【請求項１】
光源が設けられ、気密に封止されたランプ容器と、
このランプ容器内から導出している中央導出電流供給導体及び側方導出電流供給導体と、
前記ランプ容器と機械的に連結しているとともに、前記中央導出電流供給導体及び前記側方導出電流供給導体と機械的及び電気的に接続している口金と
を有する電気ランプであって、
前記口金には、前記ランプ容器に面する側で、前記側方導出電流供給導体を通すための切欠き部が設けられており、
前記側方導出電流供給導体には、前記口金の外側で、この側方導出電流供給導体の材料からなる凝固小滴が設けられている
電気ランプ。
【請求項２】
請求項１に記載の電気ランプにおいて、
前記凝固小滴が、前記口金と接触していることを特徴とする電気ランプ。
【請求項３】
請求項１又は２に記載の電気ランプにおいて、
前記凝固小滴は、前記側方導出電流供給導体の、前記口金の前記切欠き部から導出している部分をレーザ加熱処理することにより形成されていることを特徴とする電気ランプ。
【請求項４】
請求項１又は２に記載の電気ランプにおいて、
前記側方導出電流供給導体は、モネルメタルワイヤから形成されていることを特徴とする電気ランプ。
【請求項５】
請求項１又は２に記載の電気ランプにおいて、
前記口金は、アルミニウムから形成されていることを特徴とする電気ランプ。
【請求項６】
請求項１又は２に記載の電気ランプにおいて、
前記側方導出電流供給導体は、前記口金の前記切欠き部とクランプ係合されていることを特徴とする電気ランプ。
【請求項７】
請求項１又は２に記載の電気ランプにおいて、
前記口金の前記切欠き部が、くさび形の形状をしていることを特徴とする電気ランプ。
【請求項８】
請求項１又は２に記載の電気ランプにおいて、
前記切欠き部は、レーザーカッティング処理により前記口金に設けられていることを特徴とする電気ランプ。
【請求項９】
請求項１又は２に記載の電気ランプに使用するための口金。
【発明の詳細な説明】
【技術分野】
【０００１】
本発明は、口金を設けた電気ランプに関するものである。
更に、本発明は、電気ランプに用いるための口金に関するものである。
【背景技術】
【０００２】
電気ランプは、一般に気密に封止されたランプ容器を有し、このランプ容器には光源が設けられている。この光源は、例えばハロゲンランプ容器としうるランプ容器内に設けられた（タングステンの）白熱体とすることができ、又はランプ容器内に設けられたハロゲンバーナーとすることができる。更に、光源は、ガラス容器内に設けられたメタルハライドランプとすることができる。
【０００３】
頭書に記載した種類の電気ランプは、当該技術分野において周知である。この既知の電気ランプは、ランプ容器から導出している中央導出電流供給導体及び側方導出電流供給導体を有している。更に、電気ランプには、ランプキャップとも称される口金が設けられている。口金は、通常、外側にねじ山を設けた薄板金属からなるシェルを有する。電気ランプの口金は、一般に中央導出電流供給導体及び側方導出電流供給導体と機械的及び電気的に接続されている。
【０００４】
中央導出電流供給導体及び側方導出電流供給導体は、通常はんだ付けにより口金に接続されている。はんだ付けは周知の技術であり、はんだ付けの材料には、一般に鉛の合金が用いられる。
【０００５】
この既知の電気ランプには、はんだ付けに用いられる材料が毒性を呈するおそれがあるという欠点がある。将来的には規制により、鉛のないはんだ付けを用いることが求められる可能性がある。
【発明の開示】
【発明が解決しようとする課題】
【０００６】
本発明の目的は、上述した欠点を完全に又は部分的に解消することにある。
【課題を解決するための手段】
【０００７】
本発明によれば、この目的のために、
光源が設けられ、気密に封止されたランプ容器と、
このランプ容器内から導出している中央導出電流供給導体及び側方導出電流供給導体と、
前記ランプ容器と機械的に連結しているとともに、前記中央導出電流供給導体及び前記側方導出電流供給導体と機械的及び電気的に接続している口金と
を有する電気ランプであって、
前記口金には、前記ランプ容器に面する側で、前記側方導出電流供給導体を通すための切欠き部が設けられており、
前記側方導出電流供給導体には、前記口金の外側で、この側方導出電流供給導体の材料からなる凝固小滴が設けられている
電気ランプ
を提供する。
【０００８】
本発明による電気ランプには、口金の切欠き部内に側方導出電流供給導体を位置させ、この側方導出電流供給導体の材料からなる凝固小滴を形成することにより、口金への機械的及び電気的接続が信頼性あるものになるという利点がある。従って、本発明による電気ランプでは、はんだ付けを行わなくてすむ。
【０００９】
側方導出電流供給導体と口金との機械的及び電気的接続を更に向上させるためには、凝固小滴を口金に接触させるのが好ましい。
【００１０】
この凝固小滴は、側方導出電流供給導体が口金の切欠き部から導出している部分をレーザ加熱処理することにより形成するのが好ましい。レーザは側方導出電流供給導体を溶融させ、この溶融された材料の小滴を口金の切欠き部の方へ移動させる。溶融された材料の小滴が、切欠き部の位置で口金に接触すると、この小滴内の熱が、口金の材料内へ分散する。その結果、この小滴は、口金のこの切欠き部の位置で凝固する。
【００１１】
この側方導出電流供給導体は、モネルメタルワイヤから形成するのが好ましい。モネルメタルワイヤは、電気ランプの電流供給導体に使用される周知の材料である。口金の材料は、アルミニウムとするのが好ましい。
【００１２】
本発明による電気ランプの好適例は、側方導出電流供給導体が、口金の切欠き部とクランプ係合されていることを特徴とする。クランプ係合させることにより、側方導出電流供給導体と口金との間の機械的及び電気的接続を更に向上させる。
【００１３】
口金の切欠き部は、くさび形の形状にするのが好ましい。くさび形の形状の切欠き部を使用すれば、側方導出電流供給導体と口金との間の機械的及び電気的接続が更に良好になる。
【００１４】
切欠き部は、レーザーカッティング処理を用いて口金に設けるのが好ましい。レーザーカッティング処理により、口金の切欠き部の形状、特にくさび形の形状を比較的容易に成形することができる。
【実施例】
【００１５】
本発明を、複数の実施例と図面とを参照してより詳細に説明する。
図面は、完全に線図的なものであり、実際の寸法に正比例して描いていない。明確化のために、ある寸法については特に誇張してある。これらの図面において、等価な構成部材には可能な限り同じ参照番号を付してある。
図１Ａは、本発明の一実施例による電気ランプを示す部分的透視図である。図１Ｂは、本発明の一実施例による電気ランプの口金の一部を詳細に示す線図的斜視図である。この電気ランプは、気密に封止されたランプ容器１を有し、このランプ容器１には光源２が設けられている。図１Ａの例では、この光源２は、（タングステンの）白熱体である。他の実施例では、この光源を、ランプ容器内に設けたハロゲンバーナーとする。更に他の実施例では、この光源を、ガラス容器内に設けたメタルハライドランプにすることができる。
【００１６】
この光源２には、中央導出電流供給導体３と側方導出電流供給導体４とが設けられている。これら中央導出電流供給導体３及び側方導出電流供給導体４は、ランプ容器１から導出されている（図１Ａには図示せず）。
【００１７】
図１Ａの電気ランプには、ランプキャップとも称される口金５が設けられている。この口金５は、通常、外側にねじ山を設けた薄板金属からなるシェルを有し、このシェルの一方の端部は絶縁材料（例えばガラス）のリング１５で封止されている。このリング１５には、シェルの内部に連通する中央孔が設けられている。中央電流導出供給導体３は、通常このリング１５の中央孔に電気接続されている。
【００１８】
図１Ａの電気ランプは、代表的なエジソン型ねじ込み式ランプである。口金５は、一般にランプ容器１に機械的に連結している。更に、口金５は、中央導出電流供給導体３と側方導出電流供給導体４とを外部に機械的及び電気的に接続する。
【００１９】
本発明によれば、口金５の、ランプ容器１に面する側には、側方導出電流供給導体４を通すための切欠き部６が設けられている。更に、側方導出電流供給導体４には、口金５の外側で、この側方導出電流供給導体４の材料からなる凝固小滴７が設けられている。側方導出電流供給導体４を担持する口金５の切欠き部６を図１Ｂに詳細に示す。側方導出電流供給導体４を口金５の切欠き部６内に担持させて、この側方電流供給導体４の材料からなる凝固小滴７を設けることにより、口金との機械的及び電気的接続が信頼性あるものになる。この信頼性ある接続は、はんだ付けを用いることなく達成される。側方導出電流供給導体４と口金５との機械的及び電気的接続を更に向上させるためには、凝固小滴７を口金５に接触させるのが好ましい。
【００２０】
凝固小滴７は、レーザ加熱処理により形成するのが好ましい。この目的のために、側方導出電流供給導体４の、口金５の切欠き部６から導出している部分をレーザパルスによって加熱する。レーザにより側方導出電流供給導体４が溶融し、それにより溶融された材料の小滴が形成される。この溶融された材料の小滴は口金の切欠き部６の方向へ移動する。この溶融された材料の小滴が切欠き部６の位置で口金５に接触すると、小滴内の熱が口金５の材料内に分散する。その結果、この小滴は口金の切欠き部の位置で凝固し、それにより凝固小滴７が形成される。
【００２１】
この側方導出電流供給導体４は、モネルメタルワイヤから形成するのが好ましい。モネルメタルワイヤは、電気ランプの電流供給導体に使用される周知の材料である。モネルメタルワイヤは、６０〜７０％のNiと、２５〜３５％のCuと、３％のMnと、１％のFeと、１％のSiとを含んでいる。口金の材料はアルミニウムとするのが好ましい。
【００２２】
側方導出電流供給導体４は、口金５の切欠き部６によりクランプ係合させるのが好ましい。クランプ係合させることにより、側方導出電流供給導体と口金との間の機械的及び電気的接続を更に向上させる。図１Ｂに示す口金５の切欠き部６は、くさび形の形状をしている。この場合、側方導出電流供給導体を、例えばある力を与えることにより切欠き部内に引き入れることができ、それにより、側方導出電流供給導体と口金との間の機械的及び電気的接続を向上させることができる。
【００２３】
切欠き部６は、レーザーカッティング処理により口金５に設けるのが好ましい。レーザーカッティング処理により、口金５の切欠き部６の形状、特にくさび形の形状を比較的容易に成形することができる。また、口金５は、一般にリムの近傍にらせん状の部分を有しているため、通常のカッティング又はのこ引き処理では、処理がかなり複雑になってしまう。更に、口金の材料は比較的柔らかいため、口金のリムを歪ませることなく口金を機械加工するのは困難である。
【００２４】
本発明による電気ランプによれば、側方導出電流供給導体を口金へ接続するのが信頼性あるものになる。側方導出電流供給導体４を口金５にはんだ付けする処理は省略することができる。
【００２５】
上述した実施例は本発明をこれらに限定するものではなく、当業者は、本発明の特許請求の範囲を逸脱することなく他の多くの実施例を設計しうることに注意すべきである。複数の手段を列挙している装置の請求項においては、これらの手段の幾つかを、１つの同じハードウェアで構成することができる。異なる従属項に記載したある手段はこれらを組み合わせて用いても有利であることに注意すべきである。
【図面の簡単な説明】
【００２６】
【図１Ａ】図１Ａは、本発明の一実施例による電気ランプを示す部分的透視図である。
【図１Ｂ】図１Ｂは、本発明の一実施例による電気ランプの口金を詳細に示す斜視図である。
2007528094.tif 000003
2007528094.tif 000004